【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
第1の送信機および第2の送信機からワイヤレス電力を受け取るための装置であって、
第1の周波数を有する第1の交番磁界を生成するように構成される第1の送信機から電力をワイヤレスに受け取るための第1の手段と、
前記第1の周波数よりも高い第2の周波数を有する第2の交番磁界を生成するように構成される第2の送信機から電力をワイヤレスに受け取るための第2の手段であって、電力をワイヤレスに受け取るための前記第2の手段が、電力をワイヤレスに受け取るための前記第1の手段を囲むように配置され、電力をワイヤレスに受け取るための前記第1の手段および第2の手段が前記第1の送信機および第2の送信機のそれぞれの充電領域内に配置されるとき、前記第1の手段と前記第1の送信機との間の第1の結合係数が、前記第2の手段と前記第2の送信機との間の第2の結合係数よりも高い、第2の手段と、
電力をワイヤレスに受け取るための前記第1の手段によって受け取られる前記第2の周波数のエネルギーをブロックするための手段と
を含む、装置。
【請求項２】
電力が前記第2の周波数で受け取られていることを検出するための手段を含み、
前記電力が前記第2の周波数で受け取られていることを検出したことに応答して電力をワイヤレスに受け取るための前記第1の手段を含む回路の特性を変えることによって、電力をワイヤレスに受け取るための前記第1の手段によって前記第2の周波数の前記第2の交番磁界を介して受け取られる電力量を低減するための手段か、または
前記電力が前記第1の周波数で受け取られていることを検出したことに応答して電力をワイヤレスに受け取るための前記第2の手段を含む回路の特性を変えることによって、電力をワイヤレスに受け取るための前記第2の手段によって前記第1の周波数の前記第1の交番磁界を介して受け取られる電力量を低減するための手段
をさらに含む、請求項1に記載の装置。
【請求項３】
前記第1の手段は、前記第1の送信機から電力をワイヤレスに受け取るように構成される第1のコイルであり、
前記第2の手段は、前記第2の送信機から電力をワイヤレスに受け取るように構成される第2のコイルであり、
前記エネルギーをブロックするための手段は、
前記第1のコイルに電気的に接続される受信回路と、
前記受信回路に電気的に接続され、かつ前記第2の周波数で前記第1のコイルによって受け取られるエネルギーをブロックするように構成されるフィルタ回路と
を含む、
請求項1または2に記載の装置。
【請求項４】
前記第1のコイルおよび第2のコイルが導電性構造の少なくとも一部を共有するか、または
前記第1のコイルおよび第2のコイルが、前記第1のコイルと第2のコイルとの間の寄生結合による損失を減衰させるのに十分な、前記第1のコイルの最外の巻きと前記第2のコイルの最内の巻きとの間の距離を有するように配置される
請求項3に記載の装置。
【請求項５】
前記第1のコイルが、ワイヤレス電力要件の第1のセットによって定義されるように電力をワイヤレスに受け取るように構成され、前記第2のコイルが、ワイヤレス電力要件の第2の異なるセットによって定義されるように電力をワイヤレスに受け取るように構成される、請求項3に記載の装置。
【請求項６】
前記装置の回路と前記第1のコイルおよび第2のコイルとの間に配置される磁性材料をさらに含む、請求項3に記載の装置。
【請求項７】
前記磁性材料が、第1の部分の全周辺部に沿って延びる間隙によって前記第2のコイル下の第2の部分から物理的に分離される前記第1のコイル下の前記第1の部分をさらに含み、前記間隙が、前記第1の部分から前記第2の部分に流れる磁束の量を減衰させるか、
前記磁性材料が、前記第1のコイルと前記第2のコイルとの間に配置され、かつ前記第1のコイルの少なくとも片側に沿って延びる間隙をさらに画定し、前記間隙が、前記磁性材料における前記第1のコイルと前記第2のコイルとの間に流れる磁束の量を減衰させるか、または
前記磁性材料が、
前記第1のコイル下の前記磁性材料の第1の部分と、
前記第2のコイル下の前記磁性材料の第2の部分と、
前記第1の部分および第2の部分の少なくとも1つとは異なる透磁率を有する磁性材料の少なくとも1つのリングであって、前記第1の部分と前記第2の部分との間に流れる磁束の量を減衰させる、磁性材料の少なくとも1つのリングと
を備える、
請求項6に記載の装置。
【請求項８】
前記第2のコイルを含む受信回路であって、前記第2の周波数で実質的に共振するように構成される受信回路か、または
前記第1の送信機または第2の送信機を検出するように構成される検出回路であって、前記第1の送信機または第2の送信機の検出に基づいて前記第1のコイルまたは第2のコイルを負荷に選択的に結合するように構成される検出回路
をさらに含む、請求項3に記載の装置。
【請求項９】
第1の送信機および第2の送信機からワイヤレス電力を受け取る方法であって、
第1の周波数を有する第1の交番磁界を生成するように構成される前記第1の送信機から第1のコイルを介して電力をワイヤレスに受け取るステップと、
前記第1の周波数よりも高い第2の周波数を有する第2の交番磁界を生成するように構成される前記第2の送信機から第2のコイルを介して電力をワイヤレスに受け取るステップであって、前記第2のコイルが前記第1のコイルを囲むように配置され、前記第1のコイルおよび第2のコイルが前記第1の送信機および第2の送信機のそれぞれの充電領域内に配置されるとき、前記第1のコイルと前記第1の送信機のコイルとの間の第1の結合係数が、前記第2のコイルと前記第2の送信機のコイルとの間の第2の結合係数よりも高い、ステップと、
前記第1のコイルに電気的に接続される受信回路に電気的に接続されるフィルタ回路を利用して前記第2の周波数で前記第1のコイルによって受け取られるエネルギーをブロックするステップと
を含む、方法。
【請求項１０】
電力が前記第2の周波数で受け取られていることを検出するステップを含み、
前記電力が前記第2の周波数で受け取られていることを検出したことに応答して前記第1のコイルを含む回路の特性を変えることによって、前記第2の周波数の前記第2の交番磁界を介して前記第1のコイルによって受け取られる電力量を低減するステップか、または
前記電力が前記第1の周波数で受け取られていることを検出したことに応答して前記第2のコイルを含む回路の特性を変えることによって、前記第1の周波数の前記第1の交番磁界を介して前記第2のコイルによって受け取られる電力量を低減するステップ
をさらに含む、請求項9に記載の方法。
【請求項１１】
前記第1のコイルを利用してワイヤレス電力要件の第1のセットによって定義されるように電力をワイヤレスに受け取るステップと、
前記第2のコイルを利用してワイヤレス電力要件の第2の異なるセットによって定義されるように電力をワイヤレスに受け取るステップと
をさらに含む、請求項9に記載の方法。
【請求項１２】
磁性材料において画定され、かつ第1の部分の全周辺部に沿って延びる間隙を利用して前記第1のコイル下の前記磁性材料の前記第1の部分と前記第2のコイル下の前記磁性材料の第2の部分との間に流れる磁束の量を減衰させるステップか、
前記第1のコイルと前記第2のコイルとの間に画定され、かつ前記第1のコイルの少なくとも片側に沿って延びる磁性材料における間隙を利用して前記磁性材料における前記第1のコイルと前記第2のコイルとの間に流れる磁束の量を減衰させるステップか、または
前記第1のコイル下の磁性材料の第1の部分および前記第2のコイル下の前記磁性材料の第2の部分の平面に配置され、かつ前記第1の部分および第2の部分の少なくとも1つとは異なる透磁率を有する磁性材料の少なくとも1つのリングを利用して、前記第1の部分と前記第2の部分との間に流れる磁束の量を減衰させるステップ
をさらに含む、請求項9に記載の方法。
【請求項１３】
実行されたときに、装置に請求項9〜12のいずれか一項に記載の方法を実施させるコードを含む、非一時的コンピュータ可読記録媒体。